(57)【要約】【課題】フィードームを２枚以上並べ、その間隔を他の周波数帯で３／４波長とすることにより、他の周波数帯でも良好なＶＳＷＲ特性を得ることができ、多周波数帯で共用することが可能となるホーンアンテナを提供する。【解決手段】電波を発射及び受信するホーン１と、ホーン１の開口端に密接した第１のフィードーム２と、ホーン１の開口端よりＬｂの距離にスペーサ６を挟んで第２のフィードーム３により構成される。第１のフィードーム２と第２のフィードーム３の厚みＬａは、電波の周波数Ａの波長をλａとすると、Ｌａ＝λａ／２に設定される。また、これらフィードームの間隔Ｌｂは、電波の周波数Ｂの波長をλｂとすると、Ｌｂ＝３・λｂ／４に設定される。【選択図】　　　図１
2004129087.tif 000002
【特許請求の範囲】
【請求項１】
気密構造型のホーンアンテナにおいて、該ホーンアンテナ開口端に第１の周波数帯の略１／２波長に相当する厚みを有する第１のフィードームと、前記ホーンアンテナ開口端より第２の周波数帯の略３／４波長を隔てた位置に前記第１のフィードームと略同形状の第２のフィードームを備えたことを特徴とするホーンアンテナ。
【請求項２】
気密構造型のホーンアンテナにおいて、該ホーンアンテナ開口部全面を気密用部材にて覆い、前記気密用部材に密接して形成され第１の周波数帯の略１／２波長に相当する厚みを有する第１のフィードームと、該第１のフィードームと前記気密用部材との接合面より第２の周波数帯の略３／４波長を隔てた位置に前記第１のフィードームと略同形状の第２のフィードームを備えたことを特徴とするホーンアンテナ。
【請求項３】
前記気密用部材の厚みは、前記第１の周波数帯の波長に比べて充分小さい厚みに形成されることを特徴とする請求項２記載のホーンアンテナ。
【請求項４】
気密構造型のホーンアンテナにおいて、該ホーンアンテナ開口部全面を気密用部材にて覆い、該気密用部材に密接して形成され前記ホーンアンテナ開口端よりフィードーム表面までの厚みが第１の周波数帯の略１／２波長に相当する厚みを有する第１のフィードームと、
前記ホーンアンテナ開口端より第２の周波数帯の略３／４波長を隔てた位置に前記第１の周波数帯の略１／２波長に相当する厚みを有する第２のフィードームを備えたことを特徴とするホーンアンテナ。
【請求項５】
気密構造型のホーンアンテナにおいて、該ホーンアンテナ開口部全面を第１の気密用部材にて覆い、該第１の気密用部材に密接して形成され前記ホーンアンテナ開口端よりフィードーム表面までの厚みが第１の周波数帯の略１／２波長に相当する厚みを有する第１のフィードームと、
前記ホーンアンテナ開口端より第２の周波数帯の略３／４波長を隔てた位置に、第２の気密用部材に密接して形成され前記第２の気密用部材とフィードーム合計の厚さが前記第１の周波数帯の略１／２波長に相当する厚みを有する第２のフィードームを備えたことを特徴とするホーンアンテナ。
【請求項６】
気密構造型のホーンアンテナにおいて、該ホーンアンテナで使用する周波数帯の略１／２波長に相当する厚みを有するフィードームを、前記ホーンアンテナ開口端より順次使用周波数帯の略３／４波長を隔てた位置に複数配置したことを特徴とするホーンアンテナ。
【請求項７】
気密構造型のホーンアンテナにおいて、該ホーンアンテナ開口部全面を気密用部材にて覆い、前記気密用部材に密接して形成され第１の周波数帯の略１／２波長に相当する厚みを有する第１のフィードームと、該第１のフィードームと前記気密用部材の接合面より順次使用周波数帯の略３／４波長を隔てた位置に前記第１のフィードームと略同形状のフィードームを複数配置したことを特徴とするホーンアンテナ。
【請求項８】
気密構造型のホーンアンテナにおいて、該ホーンアンテナ開口部全面を気密用部材にて覆い、該気密用部材に密接して形成され前記ホーンアンテナ開口端よりフィードーム表面までの厚みが第１の周波数帯の略１／２波長に相当する厚みを有する第１のフィードームと、
前記ホーンアンテナ開口端より順次使用周波数帯の略３／４波長を隔てた位置に前記第１の周波数帯の略１／２波長に相当する厚みを有するフィードームを複数配置したことを特徴とするホーンアンテナ。
【請求項９】
気密構造型のホーンアンテナにおいて、該ホーンアンテナ開口部全面を第１の気密用部材にて覆い、該第１の気密用部材に密接して形成され前記ホーンアンテナ開口端よりフィードーム表面までの厚みが第１の周波数帯の略１／２波長に相当する厚みを有する第１のフィードームと、
前記ホーンアンテナ開口端より順次使用周波数帯の略３／４波長を隔てた位置に、気密用部材に密接して形成され前記気密用部材とフィードーム合計の厚さが前記第１の周波数帯の略１／２波長に相当する厚みを有するフィードームを複数配置したことを特徴とするホーンアンテナ。
【発明の詳細な説明】
【０００１】
【発明の属する技術分野】
本発明は、ホーンアンテナに関し、さらに詳しくは、ホーン開口部にフィードームを取り付けた気密溝造型のホーンアンテナの特性改良に関するものである。
【０００２】
【従来の技術】
ホーンアンテナの前方にフィードームを装着して、ホーンアンテナへの積雪、雨雪、塵埃の付着などを防ぐことが行なわれている。そして、このようなフィードームとしては、ＦＲＰ（Ｆｉｂｅｒ　Ｒｅｉｎｆｏｒｃｅｄ　Ｐｌａｓｔｉｃｓ）繊維強化プラスチック、ポリプロピレン、ＡＢＳ樹脂等のエンジニアリングプラスチックが用いられる。一般に、フィードームはホーン開口部を遮るので、電波の透過損失の少ないことが要求される。即ちフィードームを構成する誘電体板での反射を小さくするように設計される。ここで、使用電波の自由空間波長をλｏ、使用する誘電体の比誘電率をεｒ、フィードームに対する電波の入射角をθｉｎとすると、フィードームを構成する誘電体板の厚みｄは式（１）で表される。
ｄ＝（Ｎλｏ）ｃｏｓθｉｎ／（２εｒ１／２）・・・式（１）
なお、Ｎは自然数である。そして、フィードーム（誘電体板）を式（１）を満足する厚みｄとすることで、フィードームでの反射を小さくし、使用する周波数の電波を低損失で透過するようにしている。
ここで、入射角θｉｎを０°とすると、式（１）は
ｄ＝Ｎλ０／２・εｒ１／２・・・式（２）
となり、比誘電率εｒのフィードーム内の波長をλｇとすると、
λｇ＝λ０／εｒ１／２・・・式（３）
であるので、式（２）は、
ｄ＝λｇ・Ｎ／２・・・式（４）
と表せる。つまり、誘電体板の厚みはフィードームの材質と使用周波数により一義的に決定される。
【０００３】
図８は実開平５−３６９１８号公報に記載の、従来のホーン開口部にフィードームを取り付けた気密構造型のホーンアンテナを示す断面図である。この構成は電波を発射及び受信するホーン１１と、フィードーム１２と、ホーン１１内を気密にする気密用シート１４とにより構成され、気密用シート１４とフィードーム１２を密接して、ホーン１１に対する電波の入出力時の反射を抑えるためにその合計の厚さＬｃを、前記式（４）により使用周波数Ｃの１／２波長となるようにフィードームを形成している。つまり、Ｌｃ＝λｃ／２の厚さに形成し、使用する周波数の電波を低損失で透過するようにしている。
図９は、図８のフィードーム構成によるホーンアンテナの反射損失特性を示す図であり、周波数帯Ｃにおいて反射損失が少なくなるような特性を示している。
【特許文献１】実開平５−３６９１８号公報
【０００４】
【発明が解決しようとする課題】
前記実開平５−３６９１８号公報のホーンは、以上のように横成されているため、フィードーム１２を透過する電波が、ほぼ１／２波長となる周波数帯Ｃではフィードーム１２による反射を抑え図８に示すような良好なＶＳＷＲ（Ｖｏｌｔａｇｅ　Ｓｔａｎｄｉｎｇ　Ｗａｖｅ　Ｒａｔｉｏ：電圧定在波比）特性を得ることができるが、２つ以上の周波数帯を共用する場合、全周波数帯で良好なＶＳＷＲ特性を得ることは難しい。
本発明は、かかる課題に鑑み、フィードームを２枚以上並べ、その間隔を他の周波数帯で３／４波長とすることにより、他の周波数帯でも良好なＶＳＷＲ特性を得ることができ、多周波数帯で共用することが可能となるホーンアンテナを提供することを目的とする。
【０００５】
【課題を解決するための手段】
本発明はかかる課題を解決するために、請求項１は、気密構造型のホーンアンテナにおいて、該ホーンアンテナ開口端に第１の周波数帯の略１／２波長に相当する厚みを有する第１のフィードームと、前記ホーンアンテナ開口端より第２の周波数帯の略３／４波長を隔てた位置に前記第１のフィードームと略同形状の第２のフィードームを備えたことを特徴とする。
第１のフィードームと第２のフィードームの厚さは第１の周波数帯では約１／２波長となるため、それぞれのフィードームの表面と背面からの反射波が互いに打ち消し合い、第１の周波数帯での反射を抑えることができる。また、第１のフィードームと第２のフィードームとの間隔を、第２の周波数帯で約３／４波長となるようにするため、それぞれのフィードーム表面からの反射波が互いに打ち消し合い、それぞれのフィードーム背面からの反射波も互いに打ち消し合う。したがって、第２の周波数帯でも反射を抑えることができる。
かかる発明によれば、第１と第２のフィードームの厚さを、第１の周波数帯の１／２波長、第１と第２のフィードームの間隔を、第２の周波数帯の３／４波長とすることにより、第１の周波数帯、第２の周波数帯ともに良好なＶＳＷＲ特性が得ることができる。
請求項２は、気密構造型のホーンアンテナにおいて、該ホーンアンテナ開口部全面を気密用部材にて覆い、前記気密用部材に密接して形成され第１の周波数帯の略１／２波長に相当する厚みを有する第１のフィードームと、該第１のフィードームと前記気密用部材との接合面より第２の周波数帯の略３／４波長を隔てた位置に前記第１のフィードームと略同形状の第２のフィードームを備えたことを特徴とする。
ホーンアンテナの気密性を完全に保つためには、フィードームだけでは不十分である。そこで、フィードームに密接して極薄いシートをホーン全面に覆い、それにより気密性を確保する。かかる技術手段によれば、ホーンアンテナ開口部全面を気密用部材にて覆い、第１と第２のフィードームの厚さを、第１の周波数帯の１／２波長、第１と第２のフィードームの間隔を、第２の周波数帯の３／４波長とすることにより、気密性を確保しつつ、第１の周波数帯、第２の周波数帯ともに良好なＶＳＷＲ特性が得ることができる。
【０００６】
請求項３は、前記気密用部材の厚みは、前記第１の周波数帯の波長に比べて充分小さい厚みに形成されることも本発明の有効な手段である。
前記で気密性を確保するために極薄いシートをホーン全面に覆ったが、電波の反射の点では好ましくない。そこで、使用する周波数帯の波長に比べて充分小さい厚みで形成されるのが良い。かかる技術手段によれば、気密用部材の厚みは、前記第１の周波数帯の波長に比べて充分小さい厚みに形成されるので、気密用部材による反射の影響を無視することができる。
請求項４は、気密構造型のホーンアンテナにおいて、該ホーンアンテナ開口部全面を気密用部材にて覆い、該気密用部材に密接して形成され前記ホーンアンテナ開口端よりフィードーム表面までの厚みが第１の周波数帯の略１／２波長に相当する厚みを有する第１のフィードームと、前記ホーンアンテナ開口端より第２の周波数帯の略３／４波長を隔てた位置に前記第１の周波数帯の略１／２波長に相当する厚みを有する第２のフィードームを備えたことを特徴とする。
前記請求項２で気密用部材の厚みが、前記第１の周波数帯の波長に比べて充分小さい厚みに形成されていれば、それに密接した第１のフィードームと第２のフィードームの間隔をホーンアンテナ開口端より第２の周波数帯の略３／４波長に形成しても差し支えないが、周波数帯によっては気密用部材の厚さが薄くても良好なＶＳＷＲ特性を得ることができない場合がある。そこで、気密用部材と第１のフィードームの厚さの合計が第１の周波数帯の略１／２波長になるように形成されるのがより好ましい。かかる技術手段によれば、ホーンアンテナ開口部全面を気密用部材にて覆い、この気密用部材と第１のフィードームの合計の厚さを、第１の周波数帯の１／２波長、ホーンアンテナ開口端と第２のフィードームの間隔を、第２の周波数帯の３／４波長とすることにより、気密性を確保しつつ、第１の周波数帯、第２の周波数帯ともに更に良好なＶＳＷＲ特性が得ることができる。
【０００７】
請求項５は、気密構造型のホーンアンテナにおいて、該ホーンアンテナ開口部全面を第１の気密用部材にて覆い、該第１の気密用部材に密接して形成され前記ホーンアンテナ開口端よりフィードーム表面までの厚みが第１の周波数帯の略１／２波長に相当する厚みを有する第１のフィードームと、前記ホーンアンテナ開口端より第２の周波数帯の略３／４波長を隔てた位置に、第２の気密用部材に密接して形成され前記第２の気密用部材とフィードーム合計の厚さが前記第１の周波数帯の略１／２波長に相当する厚みを有する第２のフィードームを備えたことを特徴とする。
前記請求項２〜４では気密部材を第１のフィードームにのみに密接したため、気密部材がＶＳＷＲ特性に対して影響を及ぼす可能性がある。そこで、第２のフィードームにも同じように気密部材を設けることが好ましい。かかる技術手段によれば、第１のフィードームと第２のフィードームの両方に気密部材を設け、それらの間隔をホーンアンテナ開口端からそれぞれ第１の周波数帯の略１／２波長と第２の周波数帯の略３／４波長にしたので、第１及び第２のフィードームが同じ構成となり、完全な気密性を確保しつつ、第１の周波数帯、第２の周波数帯ともに更に良好なＶＳＷＲ特性が得ることができる。
請求項６は、気密構造型のホーンアンテナにおいて、該ホーンアンテナで使用する周波数帯の略１／２波長に相当する厚みを有するフィードームを、前記ホーンアンテナ開口端より順次使用周波数帯の略３／４波長を隔てた位置に複数配置したことを特徴とする。
請求項１では、フィードームを２枚使用して２種類の異なる周波数帯に対して対応したが、各フィードームの間隔を使用する周波数の３／４波長に設定すれば、複数の周波数帯に対応が可能となる。かかる技術手段によれば、周波数帯の略１／２波長の厚みを有するフィードームを、前記ホーンアンテナ開口端より順次前記周波数帯の略３／４波長の間隔に複数配置したので、さらに多くの周波数帯に対応可能となる。
【０００８】
請求項７は、気密構造型のホーンアンテナにおいて、該ホーンアンテナ開口部全面を気密用部材にて覆い、前記気密用部材に密接して形成され第１の周波数帯の略１／２波長に相当する厚みを有する第１のフィードームと、該第１のフィードームと前記気密用部材の接合面より順次使用周波数帯の略３／４波長を隔てた位置に前記第１のフィードームと略同形状のフィードームを複数配置したことを特徴とする。
請求項８は、気密構造型のホーンアンテナにおいて、該ホーンアンテナ開口部全面を気密用部材にて覆い、該気密用部材に密接して形成され前記ホーンアンテナ開口端よりフィードーム表面までの厚みが第１の周波数帯の略１／２波長に相当する厚みを有する第１のフィードームと、前記ホーンアンテナ開口端より順次使用周波数帯の略３／４波長を隔てた位置に前記第１の周波数帯の略１／２波長に相当する厚みを有するフィードームを複数配置したことを特徴とする。
これは、請求項７では気密部材の厚さを無視して各フィードームの間隔を決定したが、気密部材の厚さを合計してフィードームの間隔を決定するものである。かかる技術手段によれば、気密性を確保しつつ、さらに多くの周波数帯に対応可能となる。
請求項９は、気密構造型のホーンアンテナにおいて、該ホーンアンテナ開口部全面を第１の気密用部材にて覆い、該第１の気密用部材に密接して形成され前記ホーンアンテナ開口端よりフィードーム表面までの厚みが第１の周波数帯の略１／２波長に相当する厚みを有する第１のフィードームと、前記ホーンアンテナ開口端より順次使用周波数帯の略３／４波長を隔てた位置に、気密用部材に密接して形成され前記気密用部材とフィードーム合計の厚さが前記第１の周波数帯の略１／２波長に相当する厚みを有するフィードームを複数配置したことを特徴とする。
これは、各フィードームに気密部材を設けたものである。かかる技術手段によれば、気密性を確保しつつＶＳＷＲ特性の向上を図り、さらに多くの周波数帯に対応可能となる。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態のホーンアンテナの断面図である。この構成は電波を発射及び受信するホーン１と、ホーン１の開口端に密接した第１のフィードーム２と、ホーン１の開口端よりＬｂの距離にスペーサ６を挟んで第２のフィードーム３により構成される。第１のフィードーム２と第２のフィードーム３の厚みＬａは、電波の周波数Ａの波長をλａとすると、Ｌａ＝λａ／２に設定される。これは前記で説明した通り、反射波を打ち消して、使用する周波数Ａの電波を低損失で透過するようにしている。また、これらフィードームの間隔Ｌｂは、電波の周波数Ｂの波長をλｂとすると、Ｌｂ＝３・λｂ／４に設定される。
このように図１のホーンアンテナは、２周波数帯共用のホーンアンテナであり、フィードーム２、３それぞれの厚さが一つの周波数帯（周波数帯Ａ）のほぼ１／２波長になっているため、周波数帯Ａの透過する電波はフィードームにおいて反射の影響は少なく良好なＶＳＷＲ特性が得られる。またもう一つの周波数帯（周波数帯Ｂ）では、透過する電波はフィードームの厚さが１／２波長とはならないためフィードーム２、３それぞれにおいて反射が発生するが、フィードーム２とフィードーム３との間隔が周波数帯Ｂにおいてほぼ３／４波長となっているため、各フィードームで発生する反射波が打ち消し合い、周波数帯Ｂにおいても良好なＶＳＷＲ特性が得られる。また、周波数帯Ａにおいては１枚のフィードームで反射を抑えているため、２枚のフィードームを並べてもｖｓｗＲ特性の劣化は少ない。
さらにこれらを詳細に説明するために図を用いて説明する。図５、６は２枚のフィードームにより反射した反射波が打ち消し合う様子を書いた図である。図５にてフィードーム２、３の厚さＬａは周波数帯Ａでは約１／２波長となるため、反射波１１の位相に対して、反射波１２は位相が２・Ｌａ分遅れて反射されるため、逆転して反射波１１と打ち消し合う。また、反射波１３と反射波１４も同様に相対的に２・Ｌｂ分位相が遅れるが前記と同じ理由により互いに打ち消し合う。したがって、周波数帯Ａでは反射を抑えることができる。
図６ではフィードーム２とフィードーム３との間隔Ｌｂは周波数帯Ｂで約３／４波長となるため、フィードーム２と３の表面からの反射波１１と反射波１３が打ち消し合い、また、フィードーム２と３の裏面からの反射波１２と反射波１４も打ち消し合う。したがって、周波数帯Ｂでは反射を抑えることができる。以上のことから、フィードーム２、３の厚さＬａを周波数帯Ａの１／２波長、２枚のフィードーム２、３の間隔Ｌｂを周波数帯Ｂの３／４波長とすることにより、周波数帯Ａ、周波数帯Ｂともに良好なＶＳＷＲ特性が得られる。
【００１０】
図２は、本発明の第２の実施形態のホーンアンテナの断面図である。同じ構成要素には同じ参照番号が付されているので、重複する説明は省略する。図２が図１と異なる点は、ホーン１の開口部を気密用シート４により覆った点である。そしてフィードーム２、３、それぞれの厚さＬａが周波数帯Ａのほぼ１／２波長であり、フィードーム２とフィードーム３との間隔Ｌｂが周波数帯Ｂのほぼ３／４波長となっており、図１のホーンアンテナと同様に二つの周波数帯Ａ、Ｂにおいて良好なＶＳＷＲ特性が得られる。その理由は前記した通りである。ただし、気密用シート４による影響が全く無いわけではなく、多少発生する。
つまり、ホーンアンテナの気密性を完全に保つためには、フィードームだけでは不十分である。そこで、フィードームに密接して極薄いシートをホーン全面に覆い、それにより気密性を確保するようにすれば、気密性を確保しつつ、周波数帯Ａ、周波数帯Ｂともに良好なＶＳＷＲ特性が得ることができる。また、前記で気密性を確保するために極薄いシートをホーン全面に覆ったが、電波の反射の点では好ましくない。そこで、使用する周波数帯の波長に比べて充分小さい厚みで形成すれば、気密用シート４による反射の影響を無視することができる。
【００１１】
図３は、本発明の第３の実施形態のホーンアンテナの断面図である。同じ構成要素には同じ参照番号が付されているので、重複する説明は省略する。図３が図２と異なる点は、フィードーム２とフィードーム３との間隔Ｌｂがホーン１の開口端からＬｂになるように、スペーサ７の厚みを気密用シート４の厚みだけ薄くしてある点である。つまり、図２で気密用シート４の厚みが、周波数帯Ａの波長に比べて充分小さい厚みに形成されていれば、それに密接したフィードーム２とフィードーム３の間隔をホーンアンテナ開口端より周波数帯Ｂの略３／４波長に形成しても差し支えないが、周波数帯によっては気密用シート４の厚さが確保できない場合も発生する。そこで、気密用シート４とフィードーム２の厚さの合計が周波数帯Ａの略１／２波長になるようにすれば、気密性を確保しつつ、周波数帯Ａ、周波数帯Ｂともに更に良好なＶＳＷＲ特性が得ることができる。
図４は、本発明の第４の実施形態のホーンアンテナの断面図である。同じ構成要素には同じ参照番号が付されているので、重複する説明は省略する。図４が図３と異なる点は、２枚のフィードーム２、３それぞれに気密用シート４、５を密接した半波長フィードームを形成させ、半波長フィードームを周波数帯Ａの１／２波長、気密用シート４と気密用シート５の間隔を周波数帯Ｂの３／４波長とするため、周波数帯Ａ、Ｂにおいて良好なＶＳＷＲ特性が得られ、気密用シートの影響を抑えることができる。
【００１２】
図７は、本発明の実施形態１〜４によるホーンアンテナの反射損失（ＶＳＷＲ）特性を示す図である。縦軸は反射損失（ｄＢ）、横軸は使用周波数（ＧＨｚ）であり、周波数帯Ａ、Ｂで反射損失が急激に減少して良好なＶＳＷＲ特性が得られている。この結果から本発明の有効性が実証できた。尚、図ではフィードーム間隔を設計する周波数帯Ｂを高い周波数としているが、フィードームの厚さを高い周波数で、フィードームの間隔を低い周波数で設計することもできる。
以上の説明ではフィードームが２枚の場合について説明したが、図１に示すホーンアンテナにおいては、更にフィードームを間隔Ｌｂで複数個追加することにより、より多周波数帯で共用可能となる。また、図２、３に示すホーンアンテナにおいては、先頭のフィードームのみに気密用シートを密接させ、半波長フィードームを複数個追加することにより、気密性を保持しつつより多周波数帯で共用可能となる。また、図４に示すホーンアンテナにおいては、先頭のフィードームのみならず、全てのフィードームに気密用シートを密接させ、半波長フィードームを複数個追加することにより、気密性を保持しつつ更にＶＳＷＲ特性の向上を図り、より多周波数帯で共用可能となる。
【００１３】
【発明の効果】
以上記載のごとく本発明によれば、請求項１、６は、第１と第２のフィードームの厚さを、第１の周波数帯の１／２波長、第１と第２のフィードームの間隔を、第２の周波数帯の３／４波長とすることにより、第１の周波数帯、第２の周波数帯ともに良好なＶＳＷＲ特性が得ることができる。
また請求項２、７は、ホーンアンテナ開口部全面を気密用部材にて覆い、第１と第２のフィードームの厚さを、第１の周波数帯の１／２波長、第１と第２のフィードームの間隔を、第２の周波数帯の３／４波長とすることにより、気密性を確保しつつ、第１の周波数帯、第２の周波数帯ともに良好なＶＳＷＲ特性が得ることができる。
また請求項３は、気密用部材の厚みは、前記第１の周波数帯の波長に比べて充分小さい厚みに形成されるので、気密用部材による反射の影響を無視することができる。
また請求項４、８は、ホーンアンテナ開口部全面を気密用部材にて覆い、この気密用部材と第１のフィードームの合計の厚さを、第１の周波数帯の１／２波長、ホーンアンテナ開口端と第２のフィードームの間隔を、第２の周波数帯の３／４波長とすることにより、気密性を確保しつつ、第１の周波数帯、第２の周波数帯ともに更に良好なＶＳＷＲ特性が得ることができる。
また請求項５、９は、第１のフィードームと第２のフィードームの両方に気密部材を設け、それらの間隔をホーンアンテナ開口端からそれぞれ第１の周波数帯の略１／２波長と第２の周波数帯の略３／４波長にしたので、第１及び第２のフィードームが同じ構成となり、完全な気密性を確保しつつ、第１の周波数帯、第２の周波数帯ともに更に良好なＶＳＷＲ特性が得ることができる。
【図面の簡単な説明】
【図１】本発明の第１の実施形態のホーンアンテナの断面図である。
【図２】本発明の第２の実施形態のホーンアンテナの断面図である。
【図３】本発明の第３の実施形態のホーンアンテナの断面図である。
【図４】本発明の第４の実施形態のホーンアンテナの断面図である。
【図５】本発明の２枚のフィードームにより反射した反射波が打ち消し合う様子を書いた図である。
【図６】本発明の２枚のフィードームにより反射した反射波が打ち消し合う様子を書いた図である。
【図７】本発明の実施形態１〜４によるホーンアンテナの反射損失（ＶＳＷＲ）特性を示す図である。
【図８】従来のホーン開口部にフィードームを取り付けた気密構造型のホーンアンテナを示す断面図である。
【図９】従来のフィードーム構成によるホーンアンテナの反射損失特性を示す図である。
【符号の説明】
１　ホーン、２　第１のフィードーム、３　第２のフィードーム、６　スペーサ
【図１】
2004129087.tif 000003
【図２】
2004129087.tif 000004
【図３】
2004129087.tif 000005
【図４】
2004129087.tif 000006
【図５】
2004129087.tif 000007
【図６】
2004129087.tif 000008
【図７】
2004129087.tif 000009
【図８】
2004129087.tif 000010
【図９】
2004129087.tif 000011